(57)【要約】【課題】広ダイナミックレンジで画像を表わす画像データを構成する豊富なデータを有効に活用することができる撮影装置を提供する。【解決手段】  撮影光学系によって結像された被写体光のうちの所定の第１部分を受けて主画像信号を生成する主ＣＣＤ部分３４ａと、被写体光のうち、第１部分を除く第２部分を受けて副画像信号を生成する、主ＣＣＤ部分３４ａが有するダイナミックレンジよりも広いダイナミックレンジを有する副ＣＣＤ部分３４ｂと、上記主画像信号と上記副画像信号との双方を合成して生成される合成信号と上記主画像信号とのうち合成信号が選択された場合にその合成信号に基づく画像データを生成する画像信号処理回路３９と、画像信号処理回路３９が合成信号に基づく画像データを生成した場合その画像データに所定の付加情報を付加する情報付加部５８とを備えた。【選択図】        図３
2005143032.tif 000002
【特許請求の範囲】
【請求項１】
被写体からの被写体光を結像させる撮影光学系と、
前記撮影光学系によって結像された被写体光のうちの所定の第１部分を受けて主画像信号を生成する主撮像部と、
前記被写体光のうち、前記第１部分を除く第２部分を受けて副画像信号を生成する、前記主撮像部が有するダイナミックレンジよりも広いダイナミックレンジを有する副撮像部と、
前記主画像信号と前記副画像信号とを合成して合成信号を生成する画像信号合成部と、
前記主画像信号と、前記合成信号とのうちいずれか一方を選択する選択部と、
前記選択部によって前記主画像信号が選択された場合には、該主画像信号に基づいて被写体の画像を表わす画像データを生成し、前記選択部によって前記合成信号が選択された場合、前記合成信号に基づいて被写体の画像を表わす画像データを生成する画像データ生成部と、
前記選択部によって前記合成信号が選択された場合に所定の付加情報を前記画像データに付加する情報付加部とを備えたことを特徴とする撮影装置。
【請求項２】
前記情報付加部によって前記画像データに付加される付加情報が、該画像データに対する所定の画像補正処理を禁止する旨を示す補正処理禁止情報であることを特徴とする請求項１記載の撮影装置。
【請求項３】
前記情報付加部によって前記画像データに付加される付加情報が、該画像データが前記合成信号に基づいて生成された画像データである旨を示す属性情報であることを特徴とする撮影装置。
【発明の詳細な説明】
【技術分野】
【０００１】
本発明は、被写体光を捉えることにより、被写体画像を表わす画像データを生成する撮影装置に関する。
【背景技術】
【０００２】
このような撮影装置の一例として、例えば、被写体光を固体撮像素子で捉えて被写体画像を表わす画像データを生成するデジタルカメラ等が挙げられる。近年、このようなデジタルカメラが普及するようになってから既に久しい。ここで、デジタルカメラにおいて、被写体光を捉える固体撮像素子として広く用いられているＣＣＤ（Ｃｈａｒｇｅ  Ｃｏｕｐｌｅｅｄ  Ｄｅｖｉｃｅ）には、銀塩フィルムと比べて、被写体光の光量に対するダイナミックレンジが狭いという欠点がある。即ち、ＣＣＤは被写体光の光量に応じた出力信号を出力する素子であるが、光量に対するダイナミックレンジにおける上限値を超える光量の被写体光に対してはＣＣＤが飽和状態となり、ＣＣＤは一定の出力信号しか出力しなくなってしまう。一方、銀塩フィルムは、被写体光を捉えて感光する際に、被写体光の光量に応じて感光の度合を変化させるものである。この銀塩フィルムも、光量に対するダイナミックレンジを有しており、そのダイナミックレンジにおける上限値を超える強すぎる光に対しては感光の度合が飽和してしてしまう。しかし、ＣＣＤは、ダイナミックレンジにおける上限値が、銀塩フィルムが有するダイナミックレンジにおける上限値に比べて小さい。その結果、このようなＣＣＤを備えるデジタルカメラで得られた画像データに基づいてプリントされた写真では、特に明るい被写体が写っている画像部分においていわゆる白とびが発生し、特に暗い被写体が写っている画像部分においていわゆるつぶれが発生してしまう。例えば、晴れた明るい空に浮かぶ雲と木蔭の人物とを同時に撮影した場合、得られる画像が、雲に白とびを生じるかあるいは人物がつぶれた不出来な画像となってしまうことが多い。
【０００３】
近年、このようなＣＣＤの欠点を補うための技術として次のような技術が開発されている。即ち、感度の良い主画素と、広ダイナミックレンジを有する副画素とのペアからなる１つの複合画素を配列してＣＣＤを構成するといった技術である。ここで、これ以降、上記の複合画素で構成されるＣＣＤを複合型ＣＣＤ、この複合型ＣＣＤのうち上記の主画素の配列で構成される部分を主ＣＣＤ部分、上記の副画素の配列で構成される部分を副ＣＣＤ部分と呼ぶ。この技術では、光量の小さい暗い被写体光は、感度の良い主画素で構成される主ＣＣＤ部分で捕らえられる。そして、この主ＣＣＤ部分が飽和してしまうような光量の大きな明るい被写体光が、広ダイナミックレンジを有する副画素で構成される副ＣＣＤ部分で捉えられる。被写体画像を表わす画像データは、これら主ＣＣＤ部分および副ＣＣＤ部分それぞれからの出力信号を合成して得られる。これにより、上記の白とびやつぶれの発生が抑制される。
【０００４】
一方、写真を注文しに来た撮影者から、デジタルカメラで得られた画像データを受け取り、その画像データに基づいて写真をプリントするプリンタを備えた写真店では、通常、このプリンタにおいてこれらの画像データに階調補正や色調補正さらにホワイトバランスの補正等といった画像補正処理を自動で施している。そして、このプリンタにおいて、必要以上に明るい画像を表わしていると判定されるデータは、例えばノイズ等とみなされ、上記の画像補正処理によって平滑化されてしまう。その結果、例えば、撮影者が、上記の複合型ＣＣＤを備えた高性能のデジタルカメラで得られた、広ダイナミックレンジのシーンの被写体画像を表わす画像データに基づく写真のプリントを依頼したとしても、上記のプリンタによる強制的な画像補正処理によって、複合型ＣＣＤによって得られた明るい被写体光の微妙な階調等を表わす画像データが平滑化されてしまい、プリンタで得られた写真が、従来どおりの、白とび等といった不具合が生じた不出来な画像が写った写真となってしまうおそれがある。つまり、上記のような高性能のデジタルカメラによって、広ダイナミックレンジのシーンの被写体画像を表わす豊富なデータからなる画像データを得たとしても、せっかく得たこの豊富なデータの一部が、上記のプリンタにおいて無駄にされてしまうおそれがある。
【０００５】
ところで、写真店に設置されるプリンタとして、例えば、撮影者が特別な意図をもって撮影時のシャッタスピードや絞りの度合を調節して撮影を行なったような場合には、その撮影者の意図を損なわないように、撮影によって得られた画像データに対する階調補正や色調補正さらにホワイトバランスの補正等といった画像補正処理を適宜禁止して写真をプリントする機能を備えたプリンタが開発されている。
【０００６】
このようなプリンタでの写真のプリントを前提としたデジタルカメラの一例として、例えば、通常のＣＣＤを備えたデジタルカメラであって、撮影モードを、マニュアルモードや露出補正モード等といった、撮影時のシャッタスピードや絞りの度合を撮影者が自由に調節できる撮影モードに、撮影者の操作によって切替可能なデジタルカメラにおいて、このような撮影モードの撮影によって得られた画像データに、その画像データに対する階調補正や色調補正さらにホワイトバランスの補正等といった画像補正処理を禁止する旨を示す補正処理禁止情報を付加する機能を備えたデジタルカメラが提案されている（例えば、特許文献１参照。）。このようなデジタルカメラによる撮影で得られた、上記の補正処理禁止情報が付加された画像データに対し、プリンタ側では、この補正処理禁止情報に応じて、その画像データに対する画像補正処理を禁止する。
【特許文献１】特開２００２−１５６７１１号公報（第４−９頁、図５）
【発明の開示】
【発明が解決しようとする課題】
【０００７】
この特許文献１に開示された発明を、上述した複合型ＣＣＤを有するデジタルカメラに応用すれば、プリント時の不具合が回避できるように一見思われる。
【０００８】
しかしながら、特許文献１に示されたデジタルカメラでは、撮影によって得られた画像データに対する上記のプリンタ側での階調補正や色調補正さらにホワイトバランスの補正等といった画像補正処理を禁止するためには、撮影モードの切替等といった、撮影者の意思によるデジタルカメラへの何らかの操作が必要である。このため、広ダイナミックレンジで画像を表わす、データ量の豊富な画像データを、撮影者の意思とは無関係に生成する、上述したような高性能のデジタルカメラには、特許文献１に提示されているような技術を適用することは困難である。
【０００９】
また、このような高性能のデジタルカメラで得られるデータ量の豊富な画像データに対する上記のプリンタ側での画像補正処理は、禁止されることが常に望ましいかというとそうとは限らない場合も想定される。例えば、撮影不良等により、広ダイナミックレンジの一部に有効なデータが偏った画像データが生じたような場合には、その有効なデータを選択するなり、あるいはその有効なデータを活かす適切な補正処理を施すなり、デジタルカメラで得られた画像データを有効に活用することが望ましいが、特許文献１に提示されているような技術では、そのような事態に対処することは不可能である。
【００１０】
尚、ここまでデジタルカメラを例として問題点を説明したが、この問題点はデジタルカメラに限るものではなく、被写体光を捉えて被写体画像を表わす画像データを生成する他の撮影装置についても同様に生じる問題点である。
【００１１】
本発明は、上記事情に鑑み、広ダイナミックレンジで画像を表わす画像データを構成する豊富なデータを有効に活用することができる撮影装置を提供することを目的とする。
【課題を解決するための手段】
【００１２】
上記目的を達成する本発明の撮影装置は、被写体からの被写体光を結像させる撮影光学系と、
上記撮影光学系によって結像された被写体光のうちの所定の第１部分を受けて主画像信号を生成する主撮像部と、
上記被写体光のうち、上記第１部分を除く第２部分を受けて副画像信号を生成する、上記主撮像部が有するダイナミックレンジよりも広いダイナミックレンジを有する副撮像部と、
上記主画像信号と上記副画像信号とを合成して合成信号を生成する画像信号合成部と、
上記主画像信号と、上記合成信号とのうちいずれか一方を選択する選択部と、
上記選択部によって上記主画像信号が選択された場合には、その主画像信号に基づいて被写体の画像を表わす画像データを生成し、上記選択部によって上記合成信号が選択された場合、上記合成信号に基づいて被写体の画像を表わす画像データを生成する画像データ生成部と、
上記選択部によって上記合成信号が選択された場合に所定の付加情報を上記画像データに付加する情報付加部とを備えたことを特徴とする。
【００１３】
本発明の撮影装置は、被写体光を上記主撮像部と上記副撮像部とで捉え、それぞれの撮像部からの画像信号を上記画像信号合成部で合成することにより、広いダイナミックレンジで画像を表わす、豊富なデータからなる画像データを生成することができる。本発明の撮影装置によれば、本発明の撮影装置がこのような画像データを生成した場合には、上記情報付加部において、例えば、その画像データに対して、画像データを構成する豊富なデータを適切に活用する処理を実行する旨を示す情報等といった付加情報をその画像データに付加することができる。これにより、例えば、画像データに付加されたこのような付加情報に応じた内部処理を実行する機能を備えたプリンタに、本発明の撮影装置で得られた上記付加情報付の画像データを受け渡すと、このプリンタでは、上記の付加情報に応じて画像データを構成する豊富なデータを適切に活用する処理が実行される。つまり、本発明の撮影装置によれば、このような機能を備えたプリンタに、上記の豊富なデータからなる画像データが有効に活かされた画像が写った写真を作成させることができる。
【００１４】
ここで、本発明の撮影装置において、前記情報付加部によって前記画像データに付加される付加情報は、具体的には、
その画像データに対する所定の画像補正処理を禁止する旨を示す補正処理禁止情報であっても良く、あるいは、
その画像データが上記合成信号に基づいて生成された画像データである旨を示す属性情報であっても良い。
【００１５】
上記付加情報が前者のような補正処理禁止情報である場合、本発明の撮影装置によってこのような補正処理禁止情報が付加された画像データを受け取ったプリンタ側では、この補正処理禁止情報に応じて画像データに対する、例えば、階調補正処理や色調補正処理やホワイトバランス補正処理等といった画像補正処理を禁止し、画像データを構成する豊富なデータをそのまま活用して写真をプリントする。また、上記付加情報が後者のような属性情報である場合、本発明の撮影装置によってこのような属性情報が付加された画像データを受け取ったプリンタ側では、この属性情報に応じて画像データに対して、画像データを構成する豊富なデータを有効に活用する画像補正処理を施して写真を作成する。つまり、いずれの場合でも、本発明の撮影装置によれば、画像データを構成する豊富なデータが有効に活用された写真をプリントさせることができる。
【発明の効果】
【００１６】
以上、説明したように、本発明によれば、広ダイナミックレンジで画像を表わす画像データの豊富なデータを有効に活用する撮影装置を提供することができる。
【発明を実施するための最良の形態】
【００１７】
以下図面を参照して本発明の実施の形態を説明する。
【００１８】
図１は、本発明の一実施形態のデジタルカメラを、レンズが取り付けられた前方から示す斜視図であり、図２は、本発明の一実施形態のデジタルカメラの背面を示す背面図である。
【００１９】
図１に示されているデジタルカメラ１０の前面には、後述のズームレンズ１１１とフォーカスレンズ１１２とを備える撮像レンズ１１０、ファインダ窓１２、および閃光発光器１３が設けられている。
【００２０】
デジタルカメラ１０の上面には、レリーズスイッチ１４、電源スイッチ１５、および通常の撮影モードと閃光発光撮影モードを切り替えるための操作子である閃光発光スイッチ１７が設けられている。
【００２１】
図２に示されているデジタルカメラ１０の背面には、ファインダ１８、このデジタルカメラ１０を撮影状態と再生状態とのいずれかに切り替える切替スイッチ１９、ズーム操作を行うための操作子であるズームスイッチ２０、および再生した静止画やスルー画像等を表示する液晶表示装置２１が設けられている。さらに、デジタルカメラ１０の背面には、デジタルカメラ１０が撮影状態にあるときの撮影モードを、動被写体を連射する連射撮影モードと、少ない光量の被写体光を捉えて撮影する高感度撮影モードと、長時間露光して撮影するロングシャッタモードと、これらの撮影モード以外の通常の人物撮影等を行なう通常撮影モードとのいずれかに切り替えるモードダイヤル２２が設けられている。このモードダイヤル２２にはモード表示部２２ａが備えられており、撮影者は、このモード表示部２２ａを見ながらモードダイヤル２２を操作し、デジタルカメラ１０の撮影モードを所望の撮影モードに設定する。
【００２２】
図３は、図１および図２に示すデジタルカメラを示す機能ブロック図である。
【００２３】
メモリ５２には、デジタルカメラ１０の制御プログラムと、この制御プログラムの起動プログラムが保存されており、撮影者が電源スイッチ１５（図１参照）を押下しデジタルカメラ１０に電力が供給されると、ＣＰＵ４８がこのメモリ５２にアクセスし、ここに書き込まれている制御プログラムに従ってデジタルカメラ１０の動作を制御する。
【００２４】
本実施形態のデジタルカメラ１０では、電力が供給されている間は、ズームレンズ１１１、アイリス３２、フォーカスレンズ１１２、およびメカシャッタ３３からなる撮影光学系を経由して、複合型ＣＣＤ３４上に結像している被写体像が、スルー画像として液晶表示装置２１に表示される。ここで、この撮影光学系が本発明にいう撮影光学系の一例に相当する。
【００２５】
以下、まず、被写体光が上記の撮影光学系を経由して内部に入射されてからスルー画像が液晶表示装置２１に表示されるまでのデジタルカメラ１０の動作について、デジタルカメラ１０の各構成要素とともに説明する。
【００２６】
デジタルカメラ１０に電力が供給されると、上記の撮影光学系の保護のために設けられているレンズバリア３１が開く。このレンズバリア３１の開動作をレンズバリア検出部４２が検出し、その検出情報をＣＰＵ４８が受け取ると、このＣＰＵ４８の指示により、上記の各レンズが、それぞれのレンズに対応するモータドライバによって駆動され、所定の初期位置に設定される。さらに、このときに、メカシャッタ用モータドライバ４６によってメカシャッタ３３が駆動されて開かれる。ここで、このメカシャッタ３３は、複合型ＣＣＤ３４からアナログ画像信号を読み出す際の、光によるスミアの発生を抑えるためのものである。
【００２７】
ここで、デジタルカメラ１０は、タイマーユニット４９を備えており、デジタルカメラ１０に電力が供給されてからの経過時間を監視している。このタイマーユニット４９が監視している経過時間が所定の時間を過ぎてもレンズバリア検出部４２からレンズバリア３１の開動作を示す検出情報がＣＰＵ４８に送信されてこない場合には、ＣＰＵ４８はレンズバリア３１において動作不良が発生したものとみなし、その旨を示すエラーメッセージを液晶表示装置２１に表示させ、デジタルカメラ１０の動作を停止させる。ここで、タイマーユニット４９が監視している時間は、このようなレンズバリア３１における動作不良の検出だけでなく、例えば、メカシャッタ３３や、各レンズやアイリス３２等といった光学系の構成要素における動作不良の検出等にも利用される。
【００２８】
被写体光は、上記の撮影光学系を経由して複合型ＣＣＤ３４上に結像する。この複合型ＣＣＤ３４は、相対的に感度の良い主画素の配列からなる主ＣＣＤ部分３４ａと、相対的に広ダイナミックレンジの副画素の配列からなる副ＣＣＤ部分３４ｂとで構成される。ここで、上記の主ＣＣＤ部分３４ａが、本発明にいう主撮像部の一例に相当し、上記の副ＣＣＤ部分３４ｂが、本発明にいう副撮像部の一例に相当する。
【００２９】
ここで、複合型ＣＣＤ３４上に結像している被写体光を主ＣＣＤ部分３４ａを構成している主画素のみで受光する第１モードと、被写体光を主ＣＣＤ部分３４ａを構成している主画素と副ＣＣＤ部分３４ｂを構成している副画素との両方で受光する第２モードとのいずれを選択部３６が選択するかによって、各ＣＣＤ部分の動作が決定される。本実施形態では、撮影者によってレリーズスイッチ１４が押下され撮影が開始されるまでは、この選択部３６において、上記の第１モードが選択される。上記の第２モードおよび撮影時における選択部３６の動作については後述する。
【００３０】
選択部３６において、上記の第１モードが選択された結果、ＣＰＵ４８から指示をうけたタイミングジェネレータ４７が主ＣＣＤ部分３４ａを駆動し、これにより、複合型ＣＣＤ３４上に結像している被写体光は、主ＣＣＤ部分３４ａによって所定のフレームレートで光電変換され、主ＣＣＤ部分３４ａからアナログ画像信号として出力される。
【００３１】
主ＣＣＤ部分３４ａから出力されたアナログ画像信号は、増幅器を兼ねるＡ／Ｄ変換器３５により、デジタル画像信号に変換される。ここで、以下では、主ＣＣＤ部分３４ａから出力されたアナログ画像信号がＡ／Ｄ変換器３５によって変換されて得られたデジタル画像信号を主デジタル画像信号と呼ぶ。また、後述の副ＣＣＤ部分３４ｂから出力されたアナログ画像信号がＡ／Ｄ変換器３５によって変換されて得られたデジタル画像信号を副デジタル画像信号と呼ぶ。
【００３２】
上記の主デジタル画像信号は、画像入力コントローラ３８によってメモリ５２に格納される。
【００３３】
次に、画像信号処理回路３９が、メモリ５２から主デジタル画像信号を読出し、その主デジタル画像信号に所定の画像処理を施し、これにより、被写体画像を表わす画像データが完成される。ここで、撮影時の画像信号処理回路３９の動作については後述する。
【００３４】
上記の画像データは、ビデオエンコーダ４１によってビデオ信号に変換された後、液晶表示装置２１に導かれる。また、ビデオエンコーダ４１からのビデオ信号は、そのビデオ信号を図示しない外部の画像表示装置に供給するためのビデオアウト表示端子５７にも導かれる。
【００３５】
液晶表示装置２１は、ＣＰＵ４８によって制御されるバックライト５６によってデジタルカメラ１０の内側から照らされ、これにより、上記のビデオ信号が、液晶表示装置２１にスルー画像として表示される。
【００３６】
この状態で撮影者がデジタルカメラ１０の向きを変えると、液晶表示装置２１に表示されているスルー画像の構図が変化する。さらに、撮影者がズームスイッチ２０（図２参照）を操作すると、この操作によってズームレンズ用モータドライバ４３がズームレンズ１１１を駆動することによりズーミングが行われる。
【００３７】
次に、撮影時におけるデジタルカメラ１０の動作について説明する。
【００３８】
切替スイッチ１９が、撮影状態を表わすマーキング１９ａと再生状態を表わすマーキング１９ｂとのうち、撮影状態を表わすマーキング１９ａにセットされると、デジタルカメラ１０が撮影状態になる。続いて、撮影者は、モードダイヤル２２のモード表示部２２ａ（図２参照）を見ながらモードダイヤル２２を操作し、モード表示部２２ａの表示を、連射撮影モードを表わす表示２２ｂ、高感度撮影モードを表わす表示２２ｃ、ロングシャッタモードを表わす表示２２ｄ、通常撮影モードを表わす表示２２ｅのうちのいずれかにセットし、デジタルカメラ１０の撮影モードを所望の撮影モードに設定する。
【００３９】
上記の選択部３６は、このモードダイヤル２２によってデジタルカメラ１０の撮影モードが、連射撮影モード、ロングシャッタモード、および高感度撮影モードのいずれかに設定されている場合には、複合型ＣＣＤ３４上に結像している被写体光を主ＣＣＤ部分３４ａを構成している主画素のみで受光する上述の第１モードを選択し、デジタルカメラ１０の撮影モードが、通常撮影モードに設定されている場合には、被写体光を主ＣＣＤ部分３４ａを構成している主画素と副ＣＣＤ部分３４ｂを構成している副画素との両方で受光する上述の第２モードを選択する。選択部３６におけるこのような選択処理は、後に別図を参照して説明するように、連射撮影モード、ロングシャッタモード、および高感度撮影モードにおいては、被写体光を上記の主画素と上記の副画素との両方で受光することにより生成される主および副デジタル画像信号との双方に基づく画像データの生成が不適切であるために実施される。以下では、撮影モードが通常撮影モードに設定されており、選択部３６によって上記の第２モードが選択されていることを前提として説明を続ける。ここで、選択部３６における選択結果は、ＣＰＵ４８、判定部５９、および画像信号処理回路３９に送られる。
【００４０】
この状態で、撮影者が所望の構図を得た時点でレリーズスイッチ１４を軽く押して止める（以後、半押し状態という）と、この操作に応じて、ＡＦ検出回路５０が画像のピント情報を検出し、さらにＡＥ＆ＡＷＢ検出回路５１が画像の輝度情報と白色バランス情報を検出する。これらの情報に基づいたＣＰＵ４８の指示により、フォーカスレンズ用モータドライバ４５がフォーカスレンズ１１２を駆動し、アイリス用モータドライバ４４がアイリス３２を駆動することによりフォーカシングと露光量調整が実施される。
【００４１】
この後、撮影者がレリーズスイッチ１４を半押し状態から更に押し込む（以後、全押し状態という）と、撮影が実行される。
【００４２】
このレリーズスイッチ１４が全押し状態になった時点で、選択部３６から送られてきた選択結果（ここでの説明では第２モードを選択）に応じたＣＰＵ４８の指示により、タイミングジェネレータ４７が主ＣＣＤ部分３４ａと副ＣＣＤ部分３４ｂとの双方を駆動する。そして、主ＣＣＤ部分３４ａを構成する主画素および副ＣＣＤ部分３４ｂを構成する副画素での受光によって各ＣＣＤ部分から出力されるアナログ画像信号が、Ａ／Ｄ変換器３５によってそれぞれデジタル画像信号に変換され、画像入力コントローラ３８によってメモリ５２に保存される。
【００４３】
また、選択部３６から送られてきた選択結果（ここでの説明では第２モードを選択）に応じて、判定部５９はメモリ５２から副ＣＣＤ部分３４ｂでの受光によって得られた副デジタル画像信号が読み出され、さらに、その副デジタル画像信号に基づいて、今回の撮影シーンが主画素での受光では表現できず副画素での受光では表現される領域を含む広ダイナミックレンジのシーンであるか否かを判定する。ここで、判定部５９が本発明にいう判定部の一例に相当する。この判定部５９における判定処理の詳細については後述する。判定部５９における判定結果は、画像信号処理回路３９に送られる。
【００４４】
画像信号処理回路３９は、判定部５９から送られてきた判定結果が、今回の撮影シーンが広ダイナミックレンジのシーンであることを示すものであった場合、メモリ５２から主デジタル画像信号および副デジタル画像信号の双方を読出し、また、判定部５９から送られてきた判定結果が、今回の撮影シーンが広ダイナミックレンジのシーンではないことを示すものであった場合、メモリ５２から主デジタル画像信号のみを読出す。
【００４５】
メモリ５２から主デジタル画像信号のみを読み出した場合には、画像信号処理回路３９はその主デジタル画像信号に所定の画像信号処理を施して、今回の撮影シーンの被写体画像を表わす画像データを完成させる。また、メモリ５２から主デジタル画像信号と副デジタル画像信号との双方を読み出した場合には、画像信号処理回路３９は、これら主デジタル画像信号と副デジタル画像信号とを合成して合成デジタル画像信号を生成し、その合成デジタル画像信号に所定の画像信号処理を施して、今回の撮影シーンの被写体画像を表わす画像データを完成させる。この画像信号処理回路３９における画像信号処理の詳細については後述する。画像信号処理回路３９によって完成された画像データは、一旦メモリ５２に格納される。
【００４６】
以上説明したように、本実施形態では、今回の撮影シーンの被写体画像を表わす画像データを上記の主デジタル画像信号に基づいて生成するか、あるいは上記の合成デジタル画像信号に基づいて生成するかは、上記の選択部３６および上記の判定部５９における処理によって選択される。つまり、これら選択部３６および判定部５９が本発明にいう選択部の一例を構成している。また、上記の画像信号処理回路３９が本発明にいう画像データ生成部の一例に相当する。
【００４７】
画像信号処理回路３９における画像信号処理を経て生成された画像データは圧縮処理回路４０によって圧縮され、圧縮画像データが生成される。
【００４８】
本実施形態のデジタルカメラ１０において、情報付加部５８は、上記の圧縮画像データが上記の合成デジタル画像信号に基づいて生成された場合に、その圧縮画像データに対する階調補正処理、色調補正処理、およびホワイトバランス補正処理をそれぞれ禁止する旨を示す階調補正処理禁止情報、色調補正処理禁止情報、およびホワイトバランス補正処理禁止情報をその圧縮画像データに付加する。これにより、例えば、これらの補正処理禁止情報に応じて内部における階調補正処理、色調補正処理、およびホワイトバランス補正処理をそれぞれ適宜禁止する機能を備えたプリンタに、このデジタルカメラ１０で得られた、上記のような補正処理禁止情報付の圧縮画像データを受け渡すと、このプリンタでは、これらの補正処理禁止情報に応じてその圧縮画像データを伸長した画像データに対する階調補正処理、色調補正処理、およびホワイトバランス補正処理を禁止する。つまり、本実施形態のデジタルカメラ１０によれば、広ダイナミックレンジのシーンの被写体画像を表わす画像データを構成する豊富なデータを、上記のような機能を備えたプリンタに有効に活用させて写真をプリントさせることができる。
【００４９】
また、本実施形態では、情報付加部５８は、上記の圧縮画像データが主デジタル画像信号のみに基づいて生成された場合には、その圧縮画像データを伸長した画像データに対する階調補正処理、色調補正処理、およびホワイトバランス補正処理をそれぞれ許可する旨を示す階調補正処理許可情報、色調補正処理許可情報、およびホワイトバランス補正処理許可情報をその圧縮画像データに付加する。上記のプリンタは、これらの補正処理許可情報付の圧縮画像データを受け取った場合には、これらの補正処理許可情報に応じて画像データに対する階調補正処理、色調補正処理、およびホワイトバランス補正処理を実施する。
【００５０】
また、本実施形態のデジタルカメラ１０は、被写体画像の色温度を検出する色温度検出センサ５５を備えており、撮影時の被写体画像の色温度を検出し、その色温度を示す色温度情報を生成して、圧縮画像データにこの色温度情報も適宜付加する。この色温度情報は、例えば、画像データに上記のような補正処理許可情報が付加されている場合、上記のプリンタにおいて色調補正等といった画像補正処理に利用される。
【００５１】
以上説明した補正処理禁止情報あるいは補正処理許可情報が付加された圧縮画像データは、メディアコントローラ５３によって記録メディア５４に記録される。
【００５２】
以上で、本実施形態のデジタルカメラ１０の全体的な構成および動作の説明を終了し、以下では、上記の複合型ＣＣＤ３４の構成や、上記の画像信号処理回路３９における信号処理の詳細等を各論的に説明する。
【００５３】
まず、複合型ＣＣＤ３４の構成について説明する。
【００５４】
図４は、図３に示す複合型ＣＣＤを示す模式図である。
【００５５】
図４には、レッド（Ｒ）、グリーン（Ｇ）、ブルー（Ｂ）それぞれに対応する、主画素３４ａ＿１Ｒ，３４ａ＿１Ｇ，３４ａ＿１Ｂと、副画素３４ｂ＿１Ｒ，３４ｂ＿１Ｇ，３４ｂ＿１Ｂとからなる複合構造の画素３４＿１Ｒ，３４＿１Ｇ，３４＿１Ｂが、いわゆるハニカム状に配列されている様子が示されている。ここで、複合構造の画素３４＿１Ｒ，３４＿１Ｇ，３４＿１Ｂがこのようなハニカム状に配列されることにより、画素の高密度配列が実現されている。
【００５６】
本実施形態では、図３に示す主ＣＣＤ部分３４ａは、ＲＧＢそれぞれに対応する上記の主画素３４ａ＿１Ｒ，３４ａ＿１Ｇ，３４ａ＿１Ｂで構成され、副ＣＣＤ部分３４ｂは、上記の副画素３４ｂ＿１Ｒ，３４ｂ＿１Ｇ，３４ｂ＿１Ｂで構成されている。
【００５７】
主画素３４ａ＿１Ｒ，３４ａ＿１Ｇ，３４ａ＿１Ｂは高感度であり、さらに受光面の面積が副画素３４ｂ＿１Ｒ，３４ｂ＿１Ｇ，３４ｂ＿１Ｂの受光面の面積のおよそ３倍となっている。一方、副画素３４ｂ＿１Ｒ，３４ｂ＿１Ｇ，３４ｂ＿１Ｂは、主画素３４ａ＿１Ｒ，３４ａ＿１Ｇ，３４ａ＿１Ｂに比べて感度が低く、そのかわりに、主画素３４ａ＿１Ｒ，３４ａ＿１Ｇ，３４ａ＿１Ｂよりも広いダイナミックレンジを有している。その結果、主画素３４ａ＿１Ｒ，３４ａ＿１Ｇ，３４ａ＿１Ｂで構成される主ＣＣＤ部分３４ａは高感度を有し、副画素３４ｂ＿１Ｒ，３４ｂ＿１Ｇ，３４ｂ＿１Ｂで構成される副ＣＣＤ部分３４ｂは広ダイナミックレンジを有することとなる。
【００５８】
このような主ＣＣＤ部分３４ａおよび副ＣＣＤ部分３４ｂそれぞれが被写体光を受光し、その被写体光を光電変換して得られたアナログ画像信号は、それぞれデジタル信号に変換された後、図３に示す画像信号処理回路３９において、以下に説明する画像信号処理を施される。
【００５９】
図５は、図３に示す画像信号処理回路における画像信号処理を示す図である。
【００６０】
以下、図５を参照して、上記の画像信号処理について説明する。
【００６１】
図５では、図３および図４に示す主ＣＣＤ部分３４ａで被写体光が受光されてから、図３に示すＡ/Ｄ変換部３５から主デジタル画像信号が出力されるまでの一連の処理が、主取込処理（ステップＳ１０１）として示されている。また、図３および図４に示す副ＣＣＤ部分３４ｂについても、主取込処理（ステップＳ１０１）と同様の処理が副取込処理（ステップＳ１０２）として示されている。図３に示す画像信号処理回路３９における画像信号処理は、主取込処理（ステップＳ１０１）で得られる主デジタル画像信号および、副取込処理（ステップＳ１０２）で得られる副デジタル画像信号に対して実施される。ここでの説明では、図３に示す選択部３６において、被写体光を主ＣＣＤ部分３４ａを構成している主画素と副ＣＣＤ部分３４ｂを構成している副画素との両方で受光する第２モードが選択されていることを前提とし、上記の主取込処理（ステップＳ１０１）および副取込処理（ステップＳ１０２）がともに実行されることとする。
【００６２】
主デジタル画像信号および副デジタル画像信号には、それぞれ後述のＹＣ処理に必要な前処理が施される（ステップＳ１０３，ステップＳ１０４）。この前処理（ステップＳ１０３，ステップＳ１０４）では、シェーディング補正等といった各種補正処理が施される。例えば、ここで実施されるシェーディング補正は次のような処理である。被写体光が、レンズ等からなる撮影光学系を通過すると、撮影光学系の中心軸近傍を通過する被写体光に比べて周辺部を通過する被写体光が暗くなってしまうという現象が生じる。このような現象により、例えば白一色等といった均一な被写体光を撮影光学系を介して複数のＣＣＤで受光した時、被写体光が均一であったにも関わらず各ＣＣＤ部分からの画像信号の間にばらつきが発生してしまう。シェーディング補正は、各画像信号に所定の補正係数を乗算することにより、画像信号間の上記のようなばらつきを補正する処理である。
【００６３】
それぞれ前処理を施された主デジタル画像信号および副デジタル画像信号に対して、図３に示す判定部５９から送られた判定結果に応じて合成処理が施される（ステップＳ１０５）。即ち、上記の判定結果が、今回の撮影シーンが広ダイナミックレンジのシーンではないという判定結果であった場合には、合成処理は実行されず、主デジタル画像信号のみが次の処理に送られる。上記の判定結果が、今回の撮影シーンが広ダイナミックレンジのシーンであるという判定結果であった場合には、主デジタル画像信号および副デジタル画像信号の合成処理が実行され、その結果生成された合成デジタル画像信号が次の処理に送られる。
【００６４】
続いて、主デジタル画像信号あるいは上記の合成デジタル画像信号にＹＣ処理が施され（ステップＳ１０６）、それぞれ被写体画像をＲＧＢ３色それぞれの濃度で表わす主デジタル画像信号あるいは上記の合成デジタル画像信号が、被写体画像を輝度（Ｙ）と色（Ｃ）とで表わすＹＣ画像信号に変換される。
【００６５】
さらに、このＹＣ画像信号で表わされる画像に歪み（ディストーション）が認められる場合に、その歪みに対してディストーション補正が施される（ステップＳ１０７）。ここで、図５では、このディストーション補正（ステップＳ１０７）および後述のリサイズ処理（ステップＳ１０８）はともに必要に応じて実行されるという意味で、点線で囲われて示されている。
【００６６】
リサイズ処理（ステップＳ１０８）では、各画素毎にＹおよびＣの信号が対応付けられて表現されているＹＣ画像信号から、必要に応じて適宜信号の間引きが行なわれ、ＹＣ画像信号の信号サイズの縮小が図られる。
【００６７】
さらに、リサイズ処理（ステップＳ１０８）を経たＹＣ画像信号に、そのＹＣ画像信号が表わす被写体画像中の、例えば人物像等の輪郭を鮮鋭化させる輪郭補正処理等といった後処理が施される（ステップＳ１０９）。
【００６８】
以上説明したステップＳ１０９までの処理を経たＹＣ画像信号を、ここでは被写体画像を表わす画像データと呼ぶ。その画像データは、圧縮処理（ステップＳ１１０）が施された後図３に示す記録メディア５４に格納される。
【００６９】
また、前述のスルー画像の、図３に示す液晶表示装置２１への表示における、画像処理について以下に説明する。ここで、前述したように、デジタルカメラ１０に電源が投入された後、撮影者がレリーズスイッチ１４を押下するまでの間は、選択部３６は、被写体光を主ＣＣＤ部分３４ａを構成している主画素のみで受光する第１モードを選択する。従って、この場合、上記の合成処理（ステップＳ１０５）では、主デジタル画像信号が後段の処理に送られ、この主デジタル画像信号に対して、ＹＣ処理（ステップＳ１０６）以降の各処理が施されて画像データが生成される。そして、この画像データに、一般に狭小なサイズである液晶表示装置２１用に、さらなるリサイズ処理（ステップＳ１１１）と、表示に適した輪郭補正処理等といった後処理が施される（ステップＳ１１２）。以上の処理を経た画像データが表わす画像が、スルー画像として液晶表示装置２１に表示される（ステップＳ１１３）。
【００７０】
以上で、図５に示す画像信号処理についての説明を終了する。
【００７１】
次に、上記の主デジタル画像信号および上記の副デジタル画像信号が合成されて生成される合成デジタル画像信号に基づいて生成された画像データが表わす被写体画像のダイナミックレンジについて説明する。ここで、以下の説明では、このダイナミックレンジについて説明するに当り、説明を単純化するために、図５に示す合成処理（ステップＳ１０５）以降の各処理を受ける前の合成デジタル画像信号が直接表わしている被写体画像のダイナミックレンジを例示して説明する。
【００７２】
図６は、合成デジタル画像信号が表わす被写体画像のダイナミックレンジを示すグラフである。
【００７３】
図６に示すグラフでは、横軸には被写体光の光量に対応する値がとられ、縦軸には各光量を画像として表現したときの、その画像の階調に対応する値がとられている。ここで、横軸の値は、従来のＣＣＤにおいて出力が飽和状態となる光量を１００としたときの相対値であり、縦軸の値は、図５に示す前処理（ステップＳ１０３あるいはステップＳ１０４）を経たデジタル画像信号が表わす、各光量に対応した画像の階調を示す値である。また、図６に示すグラフには、合成デジタル画像信号に対応するラインＬ１だけでなく、比較のために、従来のＣＣＤに光を入射したときに得られる従来のデジタル画像信号に対応するラインＬ２、主デジタル画像信号に対応するラインＬ３、および副デジタル画像信号に対応するラインＬ４も示されている。
【００７４】
前述のように、図６に示すグラフでは、横軸において、従来のデジタル画像信号に対応するラインＬ２が飽和する時の光量は１００であり、この１００という値が従来のデジタル画像信号に対応するダイナミックレンジＤ２に相当する。また、主デジタル画像信号に対応するラインＬ３もラインＬ２とほぼ同じ光量に対して飽和していることから、この主デジタル画像信号に対応するダイナミックレンジＤ３も、従来のデジタル画像信号に対応するダイナミックレンジＤ２と同じ１００に相当することがわかる。
【００７５】
また、副デジタル画像信号に対応するラインＬ４は、グラフ中の他のラインＬ１，Ｌ２、Ｌ３と比較して縦軸に対応するレベルが低い。これは、図３に示す副ＣＣＤ部分３４ｂの光量に対する感度が、主ＣＣＤ部分３４ａに比べて低いことを意味する。一方、副デジタル画像信号に対応するラインＬ４は、光量が４００に達するあたりで飽和状態となる。つまり、この図６の例では、副デジタル画像信号に対応するダイナミックレンジＤ４は、従来のデジタル画像信号に対応するダイナミックレンジＤ２や主デジタル画像信号に対応するダイナミックレンジＤ３の４倍である。
【００７６】
次に、主デジタル画像信号と副デジタル画像信号を合成して得られる合成デジタル画像信号に対応するラインＬ１は、光量が１００以降であっても飽和状態とならず、副デジタル画像信号に対応するラインＬ４を反映して上昇し、そのラインＬ４が飽和状態となる光量４００に至って飽和状態となる。このように、合成デジタル画像信号に対応するダイナミックレンジＤ１も、従来のデジタル画像信号に対応するダイナミックレンジＤ２や主デジタル画像信号に対応するダイナミックレンジＤ３の４倍となる。
【００７７】
以上、図６を参照して説明したように、本実施形態では、図３に示す主ＣＣＤ部分３４ａからの主デジタル画像信号と副デジタル画像信号とを合成して得られる合成デジタル画像信号によって、被写体画像を、従来のおよそ４倍のダイナミックレンジで表わすことができる。
【００７８】
次に、図３に示す選択部３６における選択処理から、図３に示す情報付加部５８における情報の付加処理に至る一連の処理について説明する。
【００７９】
図７は、図３に示す選択部における選択処理から、図３に示す情報付加部５８における情報の付加処理に至る一連の処理を示すフローチャートである。
【００８０】
図７に示すフローチャートは、撮影者が図３に示すレリーズスイッチ１４を押下されるとスタートされる。
【００８１】
先ず、図３に示すモードダイヤル２２が、通常撮影モードにセットされているか、例えば、連射撮影モード等といった通常撮影モード以外の撮影モードにセットされているかが判定される（ステップＳ２０１）。
【００８２】
ここで、図３に示す本実施形態のデジタルカメラ１０では、モードダイヤル２２における通常撮影モード以外の撮影モードには、前述したように、連射撮影モード、ロングシャッタモード、および高感度撮影モードがある。これらの撮影モードにおいては、以下に説明するように、図３に示す主ＣＣＤ部分３４ａを構成する主画素と、副ＣＣＤ部分３４ｂを構成する副画素との両方で被写体光を受光することにより生成される、主および副デジタル画像信号との双方に基づく画像データの生成は不適切である。
【００８３】
先ず、連射撮影モードでは、高速な画像データの生成が要求される。しかしながら、図５に示す画像信号処理における、主デジタル画像信号および副デジタル画像信号の合成処理（ステップＳ１０５）は処理に時間がかかるため、この合成処理（ステップＳ１０５）を経る画像データの生成は、連射撮影モードには不適切である。
【００８４】
次に、ロングシャッタモードでは、長時間に亘り、連続して、図３に示す複合型ＣＣＤ３４に被写体光が照射される。ここで、複合型ＣＣＤ３４を構成する副ＣＣＤ部分３４ｂは、図６のグラフを参照して説明したように、主ＣＣＤに比べて感度が低く、それだけノイズに対する耐久性が低い。上記のロングシャッタモードでは、副ＣＣＤ部分３４ｂに長時間被写体光が照射されることによりその副ＣＣＤ部分３４ｂおけるノイズが増大し、副ＣＣＤ部分３４ｂからのアナログ画像信号がノイズに埋もれてしまうおそれがある。このため、主ＣＣＤ部分３４ａからの画像信号と副ＣＣＤ部分３４ｂからの画像信号との両方に基づく画像データの生成は、ロングシャッタモードには不適切である。
【００８５】
また、高感度撮影モードでは、そもそも被写体光の光量が低く、感度の低い副ＣＣＤ部分３４ｂでは被写体光を十分に捉えきれないおそれがある。このため、前述の２つの撮影モードと同様に、高感度撮影モードにも、主ＣＣＤ部分３４ａからの画像信号と副ＣＣＤ部分３４ｂからの画像信号との両方に基づく画像データの生成は不適切である。
【００８６】
そこで、本実施形態では、図３に示す選択部３６において、現在の撮影モードが通常撮影モードであるか否かを判定し、撮影モードが通常撮影モード以外の撮影モードにセットされていると判定された場合には、被写体光を主ＣＣＤ部分３４ａのみで受光して主画像信号を生成する第１モードが選択される。図７のフローチャートにおけるステップＳ２０１の判定処理は、選択部３６におけるこの判定処理にあたる。
【００８７】
このステップＳ２０１の判定処理において、モードダイヤル２２が、通常撮影モードにセットされていると判定された場合（ステップＳ２０１におけるＹｅｓ判定）には、今回の撮影において、副ＣＣＤ部分３４ｂを構成する副画素での被写体光の受光によって生成された副デジタル画像信号に対して、次のような分析が施される（ステップＳ２０２）。即ち、副デジタル画像信号を構成する、各副画素に対応する複数のデータのうち、レベルが所定の閾値を超えるデータの個数がカウントされる。本実施形態では、上記の閾値は、１つの副画素が図６の横軸における光量１００の光を受光したとき、その副画素が出力する信号のレベルに相当する。次に、ステップＳ２０２の処理によって得られた、上記のデータの個数が、所定数を超えているか否かが判定される（ステップＳ２０３）。ここで、上記のデータの個数が所定数を超えているという状態が、今回の撮影シーンが広ダイナミックレンジのシーンであることを意味する。以上説明したステップＳ２０２およびステップＳ２０３の処理が、図３に示す判定部５９において実行される。
【００８８】
ステップＳ２０３の判定処理において、上記のデータの個数が所定数を超えている、即ち今回の撮影シーンが広ダイナミックレンジのシーンであると判定された場合（ステップＳ２０３の判定処理におけるＹｅｓ判定）、副ＣＣＤ部分３４ｂを構成する副画素での被写体光の受光によって生成された副デジタル画像信号と、主ＣＣＤ部分３４ａを構成する主画素での被写体光の受光によって生成された主デジタル画像信号との合成による合成デジタル信号の生成と、その合成デジタル信号に対する所定の画像処理が、図３に示す画像信号処理回路３９で実行され、今回の撮影シーンの被写体画像を表わす画像データが完成される（ステップＳ２０４）。さらに、この場合には、その画像データに対する自動階調補正、自動色調補正、および自動ホワイトバランス補正をそれぞれ禁止する旨を示す補正処理禁止情報として、それぞれＯＦＦにセットされた、自動階調補正フラグ、自動色調補正フラグ、および自動ホワイトバランス補正フラグが生成される（ステップＳ２０７）。
【００８９】
ステップＳ２０３の判定処理において、上記のデータの個数が所定数以下である、即ち今回の撮影シーンが広ダイナミックレンジのシーンでないと判定された場合（ステップＳ２０３の判定処理におけるＮｏ判定）、主ＣＣＤ部分３４ａを構成する主画素での被写体光の受光によって生成された主デジタル画像信号に対する所定の画像処理が、図３に示す画像信号処理回路３９で実行され、今回の撮影シーンの被写体画像を表わす画像データが完成される（ステップＳ２０５）。さらに、この場合には、その画像データに対する自動階調補正、自動色調補正、および自動ホワイトバランス補正をそれぞれ許可する旨を示す補正処理許可情報として、それぞれＯＮにセットされた、自動階調補正フラグ、自動色調補正フラグ、および自動ホワイトバランス補正フラグが生成される（ステップＳ２０６）。
【００９０】
そして、ステップＳ２０４の処理によって完成された画像データは圧縮処理回路４０で圧縮され、これにより生成された圧縮画像データに、ステップＳ２０７の処理によってそれぞれＯＦＦにセットされた自動階調補正フラグ、自動色調補正フラグ、および自動ホワイトバランス補正フラグが付加され、一方、ステップＳ２０５の処理を経て生成された圧縮画像データには、ステップＳ２０７の処理によってそれぞれＯＮにセットされた自動階調補正フラグ、自動色調補正フラグ、および自動ホワイトバランス補正フラグが付加される（ステップＳ２０８）。ここで、圧縮画像データへのこれらフラグの付加は、厳密には、その圧縮画像データが表わす被写体画像の属性を示す属性情報にこれらフラグを付加することにより実施される。
【００９１】
ステップＳ２０４の処理で生成される画像データは、前述したように広ダイナミックレンジのシーンの被写体画像を表わすものであり、例えば、写真店のプリンタ等において、画像形成時に、自動階調補正、自動色調補正、および自動ホワイトバランス補正等といった処理を施されると、明るい画像部分において階調がつぶれる等といった、その画像データに対応する広ダイナミックレンジが反映されないおそれがある。そこで、本実施形態では、このステップＳ２０７の処理において、それぞれＯＦＦにセットされた、自動階調補正フラグ、自動色調補正フラグ、および自動ホワイトバランス補正フラグが生成される。そして、それらのフラグが、画像データとともに写真店のプリンタ等に受け渡されると、そのプリンタは、これらのフラグに従って、プリンタ内部における上記のような補正処理を禁止する。これにより、このプリンタに、広ダイナミックレンジで画像を表わす画像データを構成する豊富なデータを、有効に活用させて写真をプリントさせることができる。
【００９２】
また、ステップＳ２０５の処理に対応する画像データは、前述したように従来と同様、図６のグラフの横軸における１００に相当するダイナミックレンジのシーンの被写体画像を表わすものであり、写真店のプリンタ等において、画像形成時に、自動階調補正、自動色調補正、および自動ホワイトバランス補正等といった処理を施されても一向に差し支えない。そこで、本実施形態では、このステップＳ２０６の処理において、それぞれＯＮにセットされた、自動階調補正フラグ、自動色調補正フラグ、および自動ホワイトバランス補正フラグが生成される。そして、それらのフラグが、圧縮画像データとともに写真店のプリンタ等に受け渡されると、そのプリンタは、これらフラグに従って、プリンタ内部における上記のような補正処理を実施する。
【００９３】
以上説明したように、図３に示すデジタルカメラ１０では、被写体画像を表わす画像データが圧縮された圧縮画像データに、前述の自動階調補正フラグ、自動色調補正フラグ、および自動ホワイトバランス補正フラグが付加される。ここで、画像データにこれらのフラグが付加された状態を、以下では画像ファイルと呼ぶ。
【００９４】
図８は、デジタルカメラで生成される画像ファイルを示す模式図である。
【００９５】
図８には、画像データが圧縮されてなる圧縮画像データ６４に、自動階調補正フラグ６１、自動色調補正フラグ６２、および自動ホワイトバランス補正フラグ６３が付加されてなる画像ファイル６０が示されている。ここで、前述したように、圧縮画像データ６４が、広ダイナミックレンジのシーンの被写体画像を表わす豊富なデータからなるものである場合には、自動階調補正フラグ６１、自動色調補正フラグ６２、および自動ホワイトバランス補正フラグ６３は、それぞれＯＦＦにセットされ、その圧縮画像データ６４に対する自動階調補正、自動色調補正、および自動ホワイトバランス補正が禁止される。また、圧縮画像データ６４が、従来通りのダイナミックレンジのシーンの被写体画像を表わすものである場合には、自動階調補正フラグ６１、自動色調補正フラグ６２、および自動ホワイトバランス補正フラグ６３は、それぞれＯＮにセットされ、その圧縮画像データ６４に対する自動階調補正、自動色調補正、および自動ホワイトバランス補正が許可される。
【００９６】
写真店等では、撮影者から図８に示す画像ファイル６０が格納された、図３に示す記録メディア５４を受け取ると、その記録メディア５４を、例えば、プリンタ等に備えられている読取装置にセットする。プリンタは、その読取装置を介して圧縮画像データ６４とともに上記の各フラグ６１，６２，６３を読み取る。そして、各フラグ６１，６２，６３のＯＮ／ＯＦＦに応じて、その圧縮画像データ６４に対する自動階調補正、自動色調補正、および自動ホワイトバランス補正の実施／不実施を決定する。
【００９７】
これにより、撮影者は、図３に示す高性能のデジタルカメラ１０の性能が十分に反映された、例えば、広ダイナミックレンジのシーンの被写体画像がプリントされた高画質の写真を受け取ることができる。
【００９８】
尚、本発明にいう情報付加部が画像データに付加する付加情報として、図８に示す自動階調補正フラグ６１、自動色調補正フラグ６２、および自動ホワイトバランス補正フラグ６３を例示して説明したが、上記の付加情報はこれに限るものではない。プリンタの中には、自動階調補正のみを実施するタイプのものや、自動色調補正および自動ホワイトバランスのみを実施するタイプのものがある。このようなプリンタでの写真作成が想定される場合には、上記の付加情報は、自動階調補正フラグのみ、あるいは自動色調補正フラグおよび自動ホワイトバランス補正フラグのみであってもよい。
【００９９】
また、本発明にいう情報付加部が画像データに付加する付加情報は、画像データが前述した合成デジタル画像信号に基づいて生成された画像データである旨を示す情報、即ち、今回の撮影シーンが広ダイナミックレンジのシーンである旨を示すシーン属性情報であってもよい。その場合に、写真のプリントを実施するプリンタは、例えば、そのシーン属性情報に応じて、上記の補正処理を禁止した写真のプリントを含む適切な処理を実行するというタイプのものとなる。
【０１００】
図９は、図７の各種フラグに替えて画像データが有するダイナミックレンジの広狭を示すシーン属性情報を画像データに付加する付加処理を示すフローチャートである。
【０１０１】
ここで、図９では、ステップＳ３０６〜ステップＳ３０８の処理を除く処理は、図７に示すステップＳ２０１〜ステップＳ２０５の処理と同様の処理であり図７と同一の符号が付されて示されている。また、ここでは、図９におけるこれらＳ２０１〜ステップＳ２０５の処理内容についての重複説明は省略する。
【０１０２】
図９に示すフローチャートでは、図３に示すデジタルカメラ１０において広ダイナミックレンジのシーンの被写体画像を表わす画像データが生成された場合（ステップＳ２０３におけるＹｅｓ判定）には、図７に示すそれぞれＯＦＦにセットされた各種フラグの生成処理（ステップＳ２０７）に替わって、広ダイナミックレンジを示すシーン属性情報の生成処理（ステップＳ３０７）が実行される。また、デジタルカメラ１０において従来どおりのダイナミックレンジのシーンの被写体画像を表わす画像データが生成された場合（ステップＳ２０３におけるＮｏ判定）には、それぞれＯＮにセットされた各種フラグの生成処理（ステップＳ２０６）に替わって、従来どおりのダイナミックレンジを示すシーン属性情報の生成処理（ステップＳ３０８）が実行される。そして、ステップＳ３０６あるいはステップＳ３０７の処理で生成されたシーン属性情報が圧縮画像データに付加され画像ファイルが生成される（ステップＳ３０８）。
【０１０３】
図１０は、シーン属性情報と圧縮画像データからなる画像ファイルを示す模式図である。
【０１０４】
図１０に示す画像ファイル７０は、図９に示すフローチャートに従って生成されるものであり、シーン属性情報７１と圧縮画像データ７２とで構成されている。このような画像ファイルを受け取ったプリンタは、その画像ファイル７１に含まれるシーン属性情報７１が、広ダイナミックレンジで画像を表わす画像データである旨を示すシーン属性情報である場合、そのシーン属性情報７１に応じて、例えば、補正処理を禁止した写真のプリント等といった処理を含む、画像データを構成する豊富なデータを有効に活用する適切な処理を実行する。その結果、撮影者は、図３に示す高性能のデジタルカメラ１０の性能が十分に反映された写真を受け取ることができる。
【０１０５】
尚、本実施形態では、本発明の撮影装置としてデジタルカメラを例示して説明したが、本発明の撮影装置はこれに限るものではなく、例えば、近年普及しているカメラ機能付の携帯電話等であってもよい。
【図面の簡単な説明】
【０１０６】
【図１】本発明の一実施形態のデジタルカメラを、レンズが取り付けられた前方から示す斜視図である。
【図２】本発明の一実施形態のデジタルカメラの背面を示す背面図である。
【図３】図１および図２に示すデジタルカメラを示す機能ブロック図である。
【図４】図３に示す複合型ＣＣＤを示す模式図である。
【図５】図３に示す画像信号処理回路における画像信号処理を示す図である。
【図６】合成デジタル画像信号が表わす被写体画像のダイナミックレンジを示すグラフである。
【図７】図３に示す選択部における選択処理と、情報付加部における情報の付加処理を示すフローチャートである。
【図８】デジタルカメラで生成される画像ファイルを示す模式図である。
【図９】図７の各種フラグに替えて画像信号が有するダイナミックレンジの広狭を示すシーン属性情報を画像データに付加する付加処理を示すフローチャートである。
【図１０】シーン属性情報と圧縮画像データからなる画像ファイルを示す模式図である。
【符号の説明】
【０１０７】
１０    デジタルカメラ
１１０    撮像レンズ
１１１    ズームレンズ
１１２    フォーカスレンズ
１２    ファインダ窓
１３    閃光発光器
１４    レリーズスイッチ
１５    電源スイッチ
１７    閃光発光スイッチ
１８    ファインダ
１９    切替スイッチ
１９ａ    撮影状態を表わすマーキング
１９ｂ    再生状態を表わすマーキング
２０    ズームスイッチ
２１    液晶表示装置
２２    モードダイヤル
２２ａ    モード表示部
２２ｂ    連射撮影モードを表わす表示
２２ｃ    高感度撮影モードを表わす表示
２２ｄ    ロングシャッタモードを表わす表示
２２ｅ    通常撮影モードを表わす表示
３１    レンズバリア
３２    アイリス
３３    メカシャッタ
３４，３４−Ｒ，３４−Ｇ，３４−Ｂ    複合型ＣＣＤ
３４ａ，３４ａ−Ｒ，３４ａ−Ｇ，３４ａ−Ｂ    主ＣＣＤ
３４ｂ，３４ｂ−Ｒ，３４ｂ−Ｇ，３４ｂ−Ｂ    副ＣＣＤ
３５    Ａ／Ｄ変換器
３６    選択部
３８    画像入力コントローラ
３９    画像信号処理回路
４０    圧縮処理回路
４１    ビデオエンコーダ
４２    レンズバリア検出部
４３    ズームレンズ用モータドライバ
４４    アイリス用モータドライバ
４５    フォーカスレンズ用モータドライバ
４６    メカシャッタ用モータドライバ
４７    タイミングジェネレータ
４８    ＣＰＵ
４９    タイマーユニット
５０    ＡＦ検出回路
５１    ＡＥ＆ＡＷＢ検出回路５１
５２    メモリ
５３    メディアコントローラ
５４    記録メディア
５５    色温度検出センサ
５６    バックライト
５７    ビデオアウト表示端子
５８    情報付加部
５９    判定部
６０，７０    画像ファイル
６１    自動階調補正フラグ
６２    自動色調補正フラグ
６３    自動ホワイトバランス補正フラグ
６４，７２    圧縮画像データ
７１    シーン属性情報
【図１】
2005143032.tif 000003
【図２】
2005143032.tif 000004
【図３】
2005143032.tif 000005
【図４】
2005143032.tif 000006
【図５】
2005143032.tif 000007
【図６】
2005143032.tif 000008
【図７】
2005143032.tif 000009
【図８】
2005143032.tif 000010
【図９】
2005143032.tif 000011
【図１０】
2005143032.tif 000012